(57)【要約】【課題】記録ヘッドがノズルの配列方向にずれて取り付けられたことに起因して生じる色ずれを低減することができるインクジェット記録装置及び画像処理方法を提供する。【解決手段】制御部３０は、ノズル列方向とは垂直の方向に延びたライン状のライン画像を記録ヘッド毎にそれぞれ予め定められた画素位置に形成するためのラインチャート画像データに基づいて複数の記録ヘッドユニット１０，１２，１４，１６のそれぞれにライン画像を形成させ、複数の記録ヘッドユニット１０，１２，１４，１６のそれぞれにて形成されたライン画像から特定された記録ヘッドユニット１０，１２，１４，１６間の画像形成位置の誤差を記録ヘッド毎に特定し、特定した記録ヘッド毎の誤差から吐出画像データの補正位置を記録ヘッド毎に対応して決定し、決定した補正位置に画素を挿入又は削除して吐出画像データの補正を行う。【選択図】図４
2015058677.tif 000002
【特許請求の範囲】
【請求項１】
複数のノズルが所定間隔で配列されたノズル列を有する記録ヘッドが前記ノズル列方向に沿って千鳥状に複数配置されるとともに、隣接配置される記録ヘッドの各端部に配置された複数のノズルが前記ノズル列方向とは垂直の方向に互いに重なる繋ぎ部を有する記録ヘッドユニットが前記ノズル列方向とは垂直の方向に複数並べて備えられ、入力した画像データを前記記録ヘッドユニット毎の吐出画像データに変換し、記録媒体を搬送させながら前記吐出画像データにしたがって前記複数の記録ヘッドの各ノズルからインクを吐出して記録媒体に画像を形成するインクジェット記録装置において、
所定の測定用画像を記録ヘッド毎にそれぞれ予め定められた画素位置に形成するための測定用画像データに基づいて前記複数の記録ヘッドユニットのそれぞれに前記測定用画像を形成させ、前記複数の記録ヘッドユニットのそれぞれにて形成された前記測定用画像から特定された前記記録ヘッドユニット間の画像形成位置の誤差を記録ヘッド毎に特定し、該特定した記録ヘッド毎の誤差から前記吐出画像データの補正位置を記録ヘッド毎に対応して決定し、該決定した補正位置に画素を挿入又は削除して前記吐出画像データの補正を行う制御部を備えたことを特徴とするインクジェット記録装置。
【請求項２】
前記制御部は、前記吐出画像データの前記繋ぎ部に対応する位置を前記補正位置として画素を挿入又は削除することを特徴とする請求項１に記載のインクジェット記録装置。
【請求項３】
前記制御部は、前記記録ヘッドユニット毎に位置が異なるように前記補正位置を決定することを特徴とする請求項１又は２に記載のインクジェット記録装置。
【請求項４】
前記制御部は、前記吐出画像データの前記ノズル列方向とは垂直の方向で連続しないように前記補正位置を決定することを特徴とする請求項１〜３の何れか一項に記載のインクジェット記録装置。
【請求項５】
前記制御部は、前記ノズル列方向と、該ノズル列方向とは垂直の方向とにそれぞれ複数の画素を有してマトリクス状に形成され、前記補正位置が規定されたマスクデータを用いて前記吐出画像データに対してマスク処理することにより前記補正位置を決定することを特徴とする請求項４に記載のインクジェット記録装置。
【請求項６】
前記マスクデータは、前記ノズル列方向において、１つの前記補正位置のみが規定され、かつ、前記補正位置が前記マスクデータの全体において周期をもたず、略均等な間隔となるように形成されたパターンデータであることを特徴とする請求項５に記載のインクジェット記録装置。
【請求項７】
前記測定用画像を読み取る画像読取部を備え、
前記制御部は、前記画像読取部によって読み取った前記測定用画像の位置から前記記録ヘッドユニット間の画像形成位置の誤差を特定することを特徴とする請求項１〜６の何れか一項に記載のインクジェット記録装置。
【請求項８】
複数のノズルが所定間隔で配列されたノズル列を有する複数の記録ヘッドが前記ノズル列方向に沿って千鳥状に配置されるとともに、隣接配置される記録ヘッドの各端部に形成された複数のノズルが前記ノズル列方向とは垂直の方向に互いに重なる繋ぎ部を有する記録ヘッドユニットが前記ノズル列方向とは垂直の方向に複数並べて備えられ、入力した画像データを前記記録ヘッドユニット毎の吐出画像データに変換し、記録媒体を搬送させながら前記吐出画像データにしたがって前記複数の記録ヘッドの各ノズルからインクを吐出して記録媒体に画像を形成するインクジェット記録装置を用いた画像処理方法であって、
前記ノズル列方向とは垂直の方向に延びたライン状の測定用画像が記録ヘッド毎にそれぞれ予め定められた画素位置に形成するための測定用画像データに基づいて前記複数の記録ヘッドユニットのそれぞれに前記測定用画像を形成させる測定用画像形成ステップと、
形成された前記測定用画像から前記記録ヘッドユニット間の画像形成位置の誤差を記録ヘッド毎に測定する誤差測定ステップと、
測定された記録ヘッド毎の誤差から前記吐出画像データの補正位置を記録ヘッド毎に対応して決定する補正位置決定ステップと、
決定した補正位置に画素を挿入又は削除して前記吐出画像データの補正を行う補正ステップと、
を含むことを特徴とする画像処理方法。
【発明の詳細な説明】
【技術分野】
【０００１】
本発明は、インクジェット記録装置及び画像処理方法に関する。
【背景技術】
【０００２】
従来、インクジェット記録装置における画像形成において、画像の高精細化、記録速度の高速化が強く要望されている。この問題を解決するものとして、複数のノズルが所定間隔で列状に配列されたノズル列を有する記録ヘッドが千鳥状に複数配列されてなる記録ヘッドユニットを備えたインクジェット記録装置が知られており、記録媒体の搬送のみで画像形成を行ういわゆるワンパス方式（ラインヘッド方式）による画像形成を実施可能としている。
【０００３】
また、このようなインクジェット記録装置においては、上述したような記録ヘッドユニットがＹＭＣＫの色毎に設けられているものが知られている。このように構成されたインクジェット記録装置は、入力した画像データを、ＹＭＣＫの色毎の吐出画像データに変換し、これらの吐出画像データを各色の記録ヘッドユニットに割り当てる。各色の記録ヘッドユニットは、割り当てられた吐出画像データに基づいて各ノズルからインク滴を吐出して記録媒体に画像を形成することにより、カラーによる画像形成が可能となっている。
【０００４】
ところで、従来のインクジェット記録装置では、機械的構造上、記録ヘッドの位置ずれが生じるという問題がある。
【０００５】
このような状態で画像の形成を行うと、記録媒体における想定位置にインク滴が着弾せず、記録ヘッドユニット間でインク滴の着弾位置のずれが生じてしまい、色ずれ等の画像劣化の原因となってしまう。
【０００６】
このような状況に鑑み、従来のインクジェット記録装置において、用紙に位置補正マークを印刷してこれをマークセンサーで検出し、検出結果からヘッドユニットの位置ずれを判定してヘッドユニットを搬送面と平行な方向に移動させて位置ずれを補正するようにしたものがある（例えば、特許文献１）。
また、ラインヘッドの傾き情報を予め記憶し、これに基づいてインクの吐出タイミングを制御するようにしたものがある（例えば、特許文献２）。
【先行技術文献】
【特許文献】
【０００７】
【特許文献１】特開２０１０−１６２７２４号公報
【特許文献２】特開２００６−１５５９０号公報
【発明の概要】
【発明が解決しようとする課題】
【０００８】
ところで、上述したようなラインヘッド方式によるインクジェット記録装置では、記録ヘッド単位で交換することができ、メンテナンスコストに優れるという利点を有している。ところが、複数のヘッドが配置されたラインヘッド方式においては、記録ヘッドを列状に配列するという構成上、記録ヘッドを交換した際に、２ヘッド間においては補正を必要としない程度のわずかな画素の位置ずれであっても、複数のヘッドで見ると累積誤差として大きなずれが生じるという問題がある。例えば、図２０（Ａ）に示すように、シアンのインクを吐出する記録ヘッド１１０１Ｃ，１１０２Ｃ，１１０３Ｃ，１１０４Ｃ…と、マゼンタのインクを吐出する記録ヘッド１１０１Ｍ，１１０２Ｍ，１１０３Ｍ，１１０４Ｍ…とが配置されたインクジェット記録装置において、記録ヘッド１１０２Ｍ，１１０３Ｍ，１１０４Ｍ…が記録ヘッド１１０２Ｃ，１１０３Ｃ，１１０４Ｃ…に対して取り付け位置がずれている場合には、図２０（Ｂ）に示すように、一端側は画像が合っていても、他端側は記録媒体に形成された画像に色ずれが生じてしまう。
【０００９】
しかしながら、上記特許文献に記載の発明の何れも、記録ヘッドの交換に起因する位置ずれに対応することができない。
【００１０】
本発明の課題は、記録ヘッドの交換時にノズルの配列方向にずれて取り付けられたことに起因して生じる色ずれを低減することができるインクジェット記録装置及び画像処理方法を提供することである。
【課題を解決するための手段】
【００１１】
以上の課題を解決するため、請求項１に記載の発明は、複数のノズルが所定間隔で配列されたノズル列を有する記録ヘッドが前記ノズル列方向に沿って千鳥状に複数配置されるとともに、隣接配置される記録ヘッドの各端部に配置された複数のノズルが前記ノズル列方向とは垂直の方向に互いに重なる繋ぎ部を有する記録ヘッドユニットが前記ノズル列方向とは垂直の方向に複数並べて備えられ、入力した画像データを前記記録ヘッドユニット毎の吐出画像データに変換し、記録媒体を搬送させながら前記吐出画像データにしたがって前記複数の記録ヘッドの各ノズルからインクを吐出して記録媒体に画像を形成するインクジェット記録装置において、
所定の測定用画像を記録ヘッド毎にそれぞれ予め定められた画素位置に形成するための測定用画像データに基づいて前記複数の記録ヘッドユニットのそれぞれに前記測定用画像を形成させ、前記複数の記録ヘッドユニットのそれぞれにて形成された前記測定用画像から特定された前記記録ヘッドユニット間の画像形成位置の誤差を記録ヘッド毎に特定し、該特定した記録ヘッド毎の誤差から前記吐出画像データの補正位置を記録ヘッド毎に対応して決定し、該決定した補正位置に画素を挿入又は削除して前記吐出画像データの補正を行う制御部を備えたことを特徴とする。
【００１２】
請求項２に記載の発明は、請求項１に記載のインクジェット記録装置において、
前記制御部は、前記吐出画像データの前記繋ぎ部に対応する位置を前記補正位置として画素を挿入又は削除することを特徴とする。
【００１３】
請求項３に記載の発明は、請求項１又は２に記載のインクジェット記録装置において、
前記制御部は、前記記録ヘッドユニット毎に位置が異なるように前記補正位置を決定することを特徴とする。
【００１４】
請求項４に記載の発明は、請求項１〜３の何れか一項に記載のインクジェット記録装置において、
前記制御部は、前記吐出画像データの前記ノズル列方向とは垂直の方向で連続しないように前記補正位置を決定することを特徴とする。
【００１５】
請求項５に記載の発明は、請求項４に記載のインクジェット記録装置において、
前記制御部は、前記ノズル列方向と、該ノズル列方向とは垂直の方向とにそれぞれ複数の画素を有してマトリクス状に形成され、前記補正位置が規定されたマスクデータを用いて前記吐出画像データに対してマスク処理することにより前記補正位置を決定することを特徴とする。
【００１６】
請求項６に記載の発明は、請求項５に記載のインクジェット記録装置において、
前記マスクデータは、前記ノズル列方向において、１つの前記補正位置のみが規定され、かつ、前記補正位置が前記マスクデータの全体において周期をもたず、略均等な間隔となるように形成されたパターンデータであることを特徴とする。
【００１７】
請求項７に記載の発明は、請求項１〜６の何れか一項に記載のインクジェット記録装置において、
前記測定用画像を読み取る画像読取部を備え、
前記制御部は、前記画像読取部によって読み取った前記測定用画像の位置から前記記録ヘッドユニット間の画像形成位置の誤差を特定することを特徴とする。
【００１８】
請求項８に記載の発明は、複数のノズルが所定間隔で配列されたノズル列を有する複数の記録ヘッドが前記ノズル列方向に沿って千鳥状に配置されるとともに、隣接配置される記録ヘッドの各端部に形成された複数のノズルが前記ノズル列方向とは垂直の方向に互いに重なる繋ぎ部を有する記録ヘッドユニットが前記ノズル列方向とは垂直の方向に複数並べて備えられ、入力した画像データを前記記録ヘッドユニット毎の吐出画像データに変換し、記録媒体を搬送させながら前記吐出画像データにしたがって前記複数の記録ヘッドの各ノズルからインクを吐出して記録媒体に画像を形成するインクジェット記録装置を用いた画像処理方法であって、
前記ノズル列方向とは垂直の方向に延びたライン状の測定用画像が記録ヘッド毎にそれぞれ予め定められた画素位置に形成するための測定用画像データに基づいて前記複数の記録ヘッドユニットのそれぞれに前記測定用画像を形成させる測定用画像形成ステップと、
形成された前記測定用画像から前記記録ヘッドユニット間の画像形成位置の誤差を記録ヘッド毎に測定する誤差測定ステップと、
測定された記録ヘッド毎の誤差から前記吐出画像データの補正位置を記録ヘッド毎に対応して決定する補正位置決定ステップと、
決定した補正位置に画素を挿入又は削除して前記吐出画像データの補正を行う補正ステップと、
を含むことを特徴とする。
【発明の効果】
【００１９】
本発明によれば、記録ヘッドの交換時にノズルの配列方向にずれて取り付けられたことに起因して生じる色ずれを低減することができる。
【図面の簡単な説明】
【００２０】
【図１】インクジェット記録装置の概略構成を示す斜視図である。
【図２】記録ヘッドの配列状態を概略的に説明するための平面図である。
【図３】繋ぎ部を概略的に説明するための拡大図である。
【図４】インクジェット記録装置の機能的構成を示すブロック図である。
【図５】画像形成について説明する概略ブロック図である。
【図６】補正判定テーブル作成処理について説明するフローチャートである。
【図７】ラインチャート画像データについて説明する図である。
【図８】誤差判定テーブルの一例について説明する図である。
【図９】補正判定テーブルの一例について説明する図である。
【図１０】補正判定テーブルの他の例について説明する図である。
【図１１】歪み補正処理について説明するフローチャートである。
【図１２】補正処理について説明するフローチャートである。
【図１３】マスクパターンについて説明する図である。
【図１４】マスクパターンの配置位置について説明する図である。
【図１５】画素の挿入について説明する図である。
【図１６】画素の削除について説明する図である。
【図１７】本発明の適用例について説明する図である。
【図１８】本発明の適用例について説明する図である。
【図１９】本実施の形態に係るインクジェット記録装置の他の例を示す斜視図である。
【図２０】記録ヘッドの位置ずれにより生ずる問題点について説明する図である。
【発明を実施するための形態】
【００２１】
以下、本発明の実施の形態に係るインクジェット記録装置について、図面を参照して説明する。ただし、発明の範囲は図示例に限定されない。なお、以下の説明において、同一の機能及び構成を有するものについては、同一の符号を付し、その説明を省略する。また、以下の説明において、「画像データ」というときは、例えば、１つの記録媒体上に形成する画像全体のデータをいい、「画素」というときは、「画像データ」を構成する１ドット分のデータをいう。
【００２２】
図１に示すように、インクジェット記録装置２は記録媒体４を支持するプラテン６を有している。プラテン６の前後には記録媒体４を搬送するための搬送ローラー８が設けられている。搬送ローラー８が駆動されると、記録媒体４がプラテン６に支持された状態で後方から前方に搬送される。
以下の説明では、記録媒体４の搬送方向を「Ｙ方向」といい、当該搬送方向に直交する方向を「Ｘ方向」という。Ｙ方向、Ｘ方向は水平面上の方向である。
【００２３】
プラテン６の上方には、Ｙ方向の上流側から下流側にかけて記録ヘッドユニット１０，１２，１４，１６が設けられている。各記録ヘッドユニット１０，１２，１４，１６はＸ方向に延在している。例えば、記録ヘッドユニット１０は、シアン（Ｃ）のインクを記録媒体４に向けて吐出する。また、記録ヘッドユニット１２は、マゼンタ（Ｍ）のインクを記録媒体４に向けて吐出する。また、記録ヘッドユニット１４は、イエロー（Ｙ）のインクを記録媒体４に向けて吐出する。また、記録ヘッドユニット１６は、黒（Ｋ）のインクを記録媒体４に向けて吐出する。なお、記録ヘッドユニット１０，１２，１４，１６の配列順序は任意に設定することができる。
【００２４】
さらに、プラテン６の上方の記録ヘッドユニット１６の下流側には、画像読取部としてのラインセンサー１８が設けられている。ラインセンサー１８はＸ方向に延在しており、記録媒体４上に形成された画像を読み取り、画像が形成された位置を特定することができる。
【００２５】
記録ヘッドユニット１０を下方から平面視すると、図２に示すとおり、６つの記録ヘッド１０１〜１０６がＸ方向に沿って基板１００上に千鳥状に配列されている。なお、記録ヘッドの数はこれに限定されず、適宜設定することができる。各記録ヘッド１０１〜１０６には、それぞれ多数のノズルＮが所定間隔で列状に形成されている。すなわち、各記録ヘッド１０１〜１０６は、ノズル列を有している。ノズルＮの数は、任意に設定することができる。また、ノズル列は１列に限らず２列以上であってもよい。各記録ヘッド１０１〜１０６は、例えば、その内部にピエゾ素子（圧電素子）等の吐出手段を備えており、この吐出手段の作動により各ノズルＮからインク滴を各個独立して吐出制御することができる。
本実施の形態において使用されるインクはシアン（Ｃ）、マゼンタ（Ｍ）、イエロー（Ｙ）及び黒（Ｋ）の４色としたが、これに限定されず、例えば、ライトシアン（ＬＣ）、ライトマゼンタ（ＬＭ）、ライトイエロー（ＬＹ）等の他の色を使用することも可能である。この場合には、各色に対応した記録ヘッドユニットがさらに設けられる。
なお、記録ヘッドユニット１２，１４，１６も記録ヘッドユニット１０と同様の構成となっているため、以下の説明においても、記録ヘッドユニット１０についてのみ説明し、記録ヘッドユニット１２，１４，１６については、符号を同じくして説明を省略する。
【００２６】
記録ヘッドユニット１０は、隣接配置される記録ヘッド１０１〜１０６の各端部に形成された複数のノズルＮがＹ方向に互いに重なる第１の繋ぎ部１１１〜第５の繋ぎ部１１５を有している。図３は、記録ヘッド１０２，１０３がＹ方向に互いに重なる第２の繋ぎ部１１２を拡大して表している。図３に示すように、記録ヘッド１０２，１０３はそれぞれｎ個のノズルＮを有している。繋ぎ部１１２は、記録ヘッド１０２のノズル列のうちの右側端部における３２個（（ｎ−３１）番目〜ｎ番目）のノズルＮと、記録ヘッド１０３のノズル列のうちの左側端部における３２個（１番目〜３２番目）のノズルＮとが互いにＹ方向に重複するようにされている。しかしながら、実際には、記録ヘッド１０２，１０３の取り付け誤差が生じるため、ノズルＮの重複数は必ずしも３２個になるとは限らない。そのため、製品の出荷時において、ノズルＮの重複位置を確認した上で、予め、これを登録することにより、画像形成の際にインク滴の吐出位置がずれるのを防止している。
なお、本実施の形態では、説明を容易にするために３２個のノズルＮを重複させた例を示して説明しているが、ノズルの重複数は上述に限定されず、任意に設定することができる。
【００２７】
繋ぎ部１１１〜１１５においてインク滴を吐出するノズルＮは、２つのうちのいずれか一方としている。いずれのノズルＮからインク滴を吐出するかはノズルやインクの特性に応じて適宜設定することができる。
【００２８】
次に、図４を参照しながら、インクジェット記録装置２の機能的構成について説明する。
インクジェット記録装置２は、上述した記録ヘッドユニット１０，１２，１４，１６、ラインセンサー１８の他、搬送部２０及び制御部３０を備えている。
【００２９】
搬送部２０は、搬送ローラー８と、搬送ローラー８を回転させる搬送モーター２０ａとを備えている。搬送モーター２０ａは、制御部３０によって駆動制御され、搬送ローラー８を所定方向に回転させることにより、記録媒体４をＹ方向（図１参照）に搬送するように構成されている。
【００３０】
制御部３０は、インクジェット記録装置２の各部を制御するものであり、ＣＰＵ（Central Processing Unit）３１、ＲＡＭ（Random Access Memory）３２及びＲＯＭ（Read Only Memory）３３等を備えている。
【００３１】
ＣＰＵ３１は、ＲＯＭ３３に記憶されているインクジェット記録装置２としての各種機能に係る各種アプリケーションプログラムを読み出してＲＡＭ３２内の作業領域に展開し、当該プログラムに従って当該インクジェット記録装置２を統括的に制御する。
【００３２】
ＲＡＭ３２は、例えば、ＣＰＵ３１により実行される処理プログラム等を展開するためのプログラム格納領域や、入力データや上記処理プログラムが実行される際に生じる処理結果等を格納するデータ格納領域等を備える。
【００３３】
ＲＯＭ３３は、インクジェット記録装置２で実行可能なシステムプログラム、当該システムプログラムで実行可能な各種処理プログラム、これら各種処理プログラムを実行する際に使用する各種データ等を記憶する。
【００３４】
次に、以上のようにして構成されたインクジェット記録装置２において行われる画像形成を実行するための処理手順について、図５を参照しながら説明する。本実施の形態における画像形成は、図５に示すような各部機能により実現される。
なお、本実施の形態では、制御部３０がソフトウェア処理によって以下に示す各部機能を実現する構成としたが、これら各部を機能させるための回路や専用のプロセッサ等を備えて実現するようにしてもよい。
【００３５】
図５に示すように、制御部３０は、インク量制限部３０１、エッジ検出部３０２、歪み補正部３０３、シェーディング補正部３０４、１次ガンマ補正部３０５、ハーフトーン処理部３０６、繋ぎ補正部３０７、ノズル欠補正部３０８、搬送方向補正部３０９及び画像形成処理部３１０を備えている。制御部３０は、入力した画像データを記録ヘッドユニット１０，１２，１４，１６毎の画像データである吐出画像データに変換した後、各吐出画像データに対してインク量制限部３０１、エッジ検出部３０２、歪み補正部３０３、シェーディング補正部３０４、１次ガンマ補正部３０５、ハーフトーン処理部３０６、繋ぎ補正部３０７、ノズル欠補正部３０８及び搬送方向補正部３０９の各機能部による補正を行った後、画像形成処理部３１０による画像形成処理を実行する。
【００３６】
インク量制限部３０１は、ＹＭＣＫの各色のインクの量を制限する。具体的には、例えば、インク量制限部３０１は、各色のインクの量が最大４００％とされているものを、色再現精度を維持しながら各色のインクの量を、例えば、最大３２０％に制限する等の補正を行う。なお、各色のインクの量の制限の程度は任意に設定することができる。
【００３７】
エッジ検出部３０２は、ハーフトーン処理を行う際にエッジ部分を保存するためのＴａｇ情報を生成する。
【００３８】
歪み補正部３０３は、記録ヘッド１０１〜１０６の位置ずれによって生じる画像の歪みを補正する。詳細は後述する。
【００３９】
シェーディング補正部３０４は、記録ヘッド毎のインクの吐出量の相違、インクの飛行曲り、ノズル毎のインクの吐出量のばらつき等により生ずる濃度の不均一を補正する。
【００４０】
１次ガンマ補正部３０５は、ハーフトーン処理を行った際に生じるドットゲインを抑制するためのガンマ補正を行う。
【００４１】
ハーフトーン処理部３０６は、ＡＭスクリーンやＦＭスクリーンを用いたハーフトーン処理を行う。
【００４２】
繋ぎ補正部３０７は、繋ぎ部１１１〜１１５における記録ヘッド１０１〜１０６間のノズルＮの対応関係についての設定を行う。
【００４３】
ノズル欠補正部３０８は、ノズルＮの吐出不良を検出し、これに基づいて画像データの補間を行う。
【００４４】
搬送方向補正部３０９は、ノズルＮ毎のインクの吐出速度のばらつきによる着弾ずれを補正する。
【００４５】
画像形成処理部３１０は、上述したようにして各種補正が実施された画像データに基づき、記録ヘッドユニット１０，１２，１４，１６を制御して記録媒体４上に画像を形成する。
【００４６】
次に、上述したようにして構成されたインクジェット記録装置２の制御部３０にて実行される補正判定テーブル作成処理について、図６を参照しながら説明する。
【００４７】
まず、制御部３０は、測定用画像データとしてのラインチャート画像データを生成する（ステップＳ１０１）。
【００４８】
具体的には、制御部３０は、図７に示すようなラインチャート画像データＣＨを生成する。ラインチャート画像データＣＨは、ノズル列方向であるＸ方向とは垂直の方向であるＹ方向に延びたライン状の画像（ライン画像）が各色の記録ヘッドユニット１０，１２，１４，１６を構成する記録ヘッド１０１〜１０６毎にそれぞれ予め定められた画素位置に形成されるような画像データである。すなわち、このラインチャート画像データＣＨは、記録ヘッドユニット１０によりシアンのラインチャートＣＣを形成し、記録ヘッドユニット１２によりマゼンタのラインチャートＣＭを形成し、記録ヘッドユニット１４によりイエローのラインチャートＣＹを形成し、記録ヘッドユニット１６により黒のラインチャートＣＫを形成するためのデータである。ラインチャートＣＣは、シアンのライン画像Ｃ１〜Ｃ６から構成されている。ラインチャートＣＭは、マゼンタのライン画像Ｍ１〜Ｍ６から構成されている。ラインチャートＣＹは、イエローのライン画像Ｙ１〜Ｙ６から構成されている。ラインチャートＣＫは、黒のライン画像Ｋ１〜Ｋ６から構成されている。
【００４９】
ライン画像Ｃ１，Ｍ１，Ｙ１，Ｋ１は、それぞれシアンの記録ヘッドユニット１０の記録ヘッド１０１、マゼンタの記録ヘッドユニット１２の記録ヘッド１０１、イエローの記録ヘッドユニット１４の記録ヘッド１０１及び黒の記録ヘッドユニット１６の記録ヘッド１０１により形成される画像であり、Ｘ軸において同一の位置に形成されるようにインクを吐出するノズルＮがそれぞれ割り当てられている。
【００５０】
ライン画像Ｃ２，Ｍ２，Ｙ２，Ｋ２は、それぞれシアンの記録ヘッドユニット１０の記録ヘッド１０２、マゼンタの記録ヘッドユニット１２の記録ヘッド１０２、イエローの記録ヘッドユニット１４の記録ヘッド１０２及び黒の記録ヘッドユニット１６の記録ヘッド１０２により形成される画像であり、Ｘ軸において同一の位置に形成されるようにインクを吐出するノズルＮがそれぞれ割り当てられている。
【００５１】
ライン画像Ｃ３，Ｍ３，Ｙ３，Ｋ３は、それぞれシアンの記録ヘッドユニット１０の記録ヘッド１０３、マゼンタの記録ヘッドユニット１２の記録ヘッド１０３、イエローの記録ヘッドユニット１４の記録ヘッド１０３及び黒の記録ヘッドユニット１６の記録ヘッド１０３により形成される画像であり、Ｘ軸において同一の位置に形成されるようにインクを吐出するノズルＮがそれぞれ割り当てられている。
【００５２】
ライン画像Ｃ４，Ｍ４，Ｙ４，Ｋ４は、それぞれシアンの記録ヘッドユニット１０の記録ヘッド１０４、マゼンタの記録ヘッドユニット１２の記録ヘッド１０４、イエローの記録ヘッドユニット１４の記録ヘッド１０４及び黒の記録ヘッドユニット１６の記録ヘッド１０４により形成される画像であり、Ｘ軸において同一の位置に形成されるようにインクを吐出するノズルＮがそれぞれ割り当てられている。
【００５３】
ライン画像Ｃ５，Ｍ５，Ｙ５，Ｋ５は、それぞれシアンの記録ヘッドユニット１０の記録ヘッド１０５、マゼンタの記録ヘッドユニット１２の記録ヘッド１０５、イエローの記録ヘッドユニット１４の記録ヘッド１０５及び黒の記録ヘッドユニット１６の記録ヘッド１０５により形成される画像であり、Ｘ軸において同一の位置に形成されるようにインクを吐出するノズルＮがそれぞれ割り当てられている。
【００５４】
ライン画像Ｃ６，Ｍ６，Ｙ６，Ｋ６は、それぞれシアンの記録ヘッドユニット１０の記録ヘッド１０６、マゼンタの記録ヘッドユニット１２の記録ヘッド１０６、イエローの記録ヘッドユニット１４の記録ヘッド１０６及び黒の記録ヘッドユニット１６の記録ヘッド１０６により形成される画像であり、Ｘ軸において同一の位置に形成されるようにインクを吐出するノズルＮがそれぞれ割り当てられている。
【００５５】
各ライン画像Ｃ１，Ｍ１，Ｙ１，Ｋ１〜Ｃ６，Ｍ６，Ｙ６，Ｋ６は、それぞれ、繋ぎ部１１１〜１１５に係るノズルＮ以外のノズルＮ、すなわち、繋ぎ部１１１〜１１５に含まれないノズルＮによって形成されるように構成されている。なお、繋ぎ部１１１〜１１５に係るノズルＮによってライン画像を形成するようにしてもよい。
【００５６】
制御部３０は、上述したようにしてラインチャート画像データＣＨを生成した後、記録ヘッドユニット１０，１２，１４，１６を制御して記録媒体４にラインチャートを出力する（ステップＳ１０２）。
【００５７】
続いて、制御部３０は、ラインセンサー１８によって記録媒体４に形成されたラインチャートを読み取る（ステップＳ１０３）。
【００５８】
制御部３０は、読み取ったラインチャートから色間のラインチャートの位置誤差を判定する（ステップＳ１０４）。そして、判定結果に基づいて、例えば、図８に示すような誤差判定テーブルを生成する。
【００５９】
図８に示す誤差判定テーブルは、ＣＭＹの各色とＫ色との関係において、繋ぎ部１１１〜１１５に対応する画像形成領域においてどのくらいの位置誤差があるかを画素単位で表している。具体的には、上述のラインチャートから特定された記録ヘッドユニット１０，１２，１４，１６間の画像形成位置の誤差を記録ヘッド１０１〜１０６毎に特定し、特定した記録ヘッド１０１〜１０６毎の誤差から繋ぎ部１１１〜１１５における誤差を特定することができる。例えば、図８に示す誤差判定テーブルによれば、第１の繋ぎ部１１１に対応する画像形成領域において、シアンの画像が黒の画像に対して左に０．５画素の位置誤差がある。また、第２の繋ぎ部１１２に対応する画像形成領域において、シアンの画像が黒の画像に対して左に１画素の位置誤差がある。これは、すなわち、シアンの記録ヘッド１０２に対してシアンの記録ヘッド１０３が左に０．５画素分の位置誤差があるため、黒の記録ヘッド１０３に対し、シアンの記録ヘッド１０３が累積して１画素分の誤差が生じることによる。また、第３の繋ぎ部１１３に対応する画像形成領域において、シアンの画素が黒の画素に対して左に１．５画素の位置誤差がある。これは、すなわち、シアンの記録ヘッド１０３に対してシアンの記録ヘッド１０４が左に０．５画素分の位置誤差があるため、黒の記録ヘッド１０４に対し、シアンの記録ヘッド１０４が累積して１．５画素分の誤差が生じることによる。同様に、第４の繋ぎ部１１４に対応する画像形成領域において、シアンの画素が黒の画素に対して左に２画素の位置誤差があり、第５の繋ぎ部１１５に対応する画像形成領域において、シアンの画素が黒の画素に対して左に２．５画素の位置誤差がある。また、第３の繋ぎ部１１３に対応する画像形成領域において、イエローの画像が黒の画像に対して右に０．５画素の位置誤差がある。また、第４の繋ぎ部１１４に対応する画像形成領域において、イエローの画像が黒の画像に対して右に１画素の位置誤差がある。これは、すなわち、イエローの記録ヘッド１０４に対してイエローの記録ヘッド１０５が右に０．５画素分の位置誤差があるため、黒の記録ヘッド１０５に対し、イエローの記録ヘッド１０５が累積して１画素分の誤差が生じることによる。同様に、第５の繋ぎ部１１５に対応する画像形成領域において、イエローの画像が黒の画像に対して右に１．５画素の位置誤差がある。なお、上述した実施例においては説明の便宜上、位置誤差の例として一つのつなぎ目において０．５画素の位置誤差が生じている例を示したが、０．５画素に限定されず、一つのつなぎ目あたりの位置誤差をＸとすると０＜Ｘ＜１の範囲で適用できることは言うまでもない。
【００６０】
次に、制御部３０は、上述したようにして生成された誤差判定テーブルに基づいて補正判定テーブルを作成し（ステップＳ１０５）、この処理を終了する。具体的には、制御部３０は、例えば、図８に示す誤差判定テーブルに基づいて、図９に示すような補正判定テーブルを作成する。図９に示される補正判定テーブルは以下の作成要領にて作成される。すなわち、まず、シアンの画像データ（吐出画像データ）の第２の繋ぎ部１１２に相当する領域、第４の繋ぎ部１１４に相当する領域にそれぞれ１画素分の画素を挿入する。また、イエローの吐出画像データの第４の繋ぎ部１１４に相当する領域に１画素分の画素の削除を行う。図９に示される補正判定テーブルは、上述した歪み補正部３０３において、上述したようにして画素の挿入及び削除が行われるように指示するためのテーブルである。本実施の形態では、このようにして作成された補正判定テーブルを用いて各色の吐出画像データの補正を行い、これに基づいて画像形成を行うと、各色で位置誤差（色ずれ）のない画像を形成することができる。
【００６１】
また、制御部３０は、図９に示す補正判定テーブルに代えて、図１０に示すような補正判定テーブルを作成して使用することもできる。図１０に示される補正判定テーブルは、イエローの吐出画像データの第４の繋ぎ部１１４に相当する領域に１画素分の画素の削除を行うことに代えて、シアンの吐出画像データ、マゼンタの吐出画像データ及び黒の吐出画像データの第４の繋ぎ部１１４に相当する領域に１画素分の画素の挿入が行われるようにする。よってシアンの吐出画像データの第４の繋ぎ部１１４に相当する領域には２画素分の画素の挿入を行えばよい。このようにしても、同様の結果を得ることができる。
なお、上述したように累積誤差が１画素となったときに画素の挿入又は削除を行う実施例を示したが、１画素に限らず累積誤差が０．５以上１．５以下の画素の範囲で画素の挿入又は削除を行うことによって位置誤差を小さくすることができる。例えば、０．６画素の位置誤差が生じている場合において画素の挿入又は削除を行うようにすると、位置誤差を０．４画素に小さくすることができ、累積する位置誤差をより小さくする観点から好ましい。
【００６２】
次に、歪み補正処理について、図１１を参照しながら説明する。歪み補正処理は、制御部３０における歪み補正部３０３が機能して実行される処理である。この歪み補正処理は、各色の吐出画像データに対してそれぞれ実行される。
【００６３】
まず、制御部３０は、画像データにおける補正を行うか否かの判定の対象の画素（以下、注目画素ということがある）の座標がＹ方向（Ｙ軸）における最大値以下であるか否かを判定する（ステップＳ２０１）。制御部３０は、注目画素の座標がＹ軸における最大値以下であると判定したときは（ステップＳ２０１：Ｙ）、注目画素の座標がＸ方向（Ｘ軸）における最大値以下であるか否かを判定する（ステップＳ２０２）。制御部３０は、注目画素の座標がＸ軸における最大値以下であると判定したときは（ステップＳ２０２：Ｙ）、注目画素が繋ぎ部１１１〜１１５に相当する領域であるか否かを判定する（ステップＳ２０３）。
【００６４】
制御部３０は、注目画素が繋ぎ部１１１〜１１５に相当する領域であると判定したときは（ステップＳ２０３：Ｙ）、注目画素が繋ぎ部１１１〜１１５の何れに相当する領域であるか、及び、何れの色の吐出画像データであるかについて判定する（ステップＳ２０４）。
【００６５】
制御部３０は、上述したようにして作成された補正判定テーブルを参照して、ステップＳ２０４における判定結果と照合する（ステップＳ２０５）。
【００６６】
制御部３０は、ステップＳ２０５における照合の結果、注目画素が補正処理を行う繋ぎ部に相当する領域であるか否かを判定する（ステップＳ２０６）。すなわち、制御部３０は、補正判定テーブルの参照先のフィールドにおける値が補正処理を行わない旨の値である「０」以外の値であるか否かを判定する。制御部３０は、注目画素が補正処理を行う繋ぎ部に相当する領域であると判定したときは（ステップＳ２０６：Ｙ）、注目画素が補正処理を行う領域であるか否かを判定する（ステップＳ２０７）。具体的には、制御部３０は、繋ぎ部に相当する領域において後述するマスクパターンによるマスク処理が行われる領域であるか否かを判定する。制御部３０は、注目画素が補正処理を行う領域であると判定したときは（ステップＳ２０７：Ｙ）、注目画素に画素の挿入又は削除を行う補正処理を実施した後（ステップＳ２０８）、注目画素のＸ軸の座標を１だけインクリメントして（ステップＳ２０９）、ステップＳ２０２の処理を実行する。なお、補正処理の詳細については後述する。一方、制御部３０は、注目画素が補正処理を行う領域であると判定しないときは（ステップＳ２０７：Ｎ）、ステップＳ２０８の処理を実行することなくステップＳ２０９の処理を実行する。また、制御部３０は、ステップＳ２０６の処理において、注目画素が補正処理を行う繋ぎ部に相当する領域であると判定しないとき、すなわち、補正判定テーブルの参照先のフィールドにおける値が補正処理を行わない旨の値である「０」であると判定したときは（ステップＳ２０６：Ｎ）、ステップＳ２０７及びステップＳ２０８の処理を実行することなく、ステップＳ２０９の処理を実行する。
【００６７】
また、制御部３０は、ステップＳ２０３において、注目画素が繋ぎ部１１１〜１１５に相当する領域であると判定しないときは（ステップＳ２０３：Ｎ）、ステップＳ２０４〜ステップＳ２０８の処理を実行することなく、ステップＳ２０９の処理を実行する。
【００６８】
また、制御部３０は、ステップＳ２０２において、注目画素の座標がＸ軸における最大値以下であると判定しないときは（ステップＳ２０２：Ｎ）、注目画素のＹ軸の座標を１だけインクリメントするとともに、Ｘ軸の座標を原点位置にした後（ステップＳ２１０）、ステップＳ２０１の処理を実行する。
【００６９】
制御部３０は、上述した処理を繰り返し実行した後、ステップＳ２０１において、注目画素の座標がＹ軸における最大値以下であると判定しないときは（ステップＳ２０１：Ｎ）、この処理を終了する。
【００７０】
本実施の形態では、上述したようにして、吐出画像データの繋ぎ部１１１〜１１５に対応する位置に画素を挿入又は削除をすることができる。
【００７１】
次に、歪み補正処理のステップＳ２０７で実行される補正処理について、図１２を参照しながら説明する。
【００７２】
まず、制御部３０は、吐出画像データにマスクパターンを適用するマスク処理を行う（ステップＳ３０１）。このマスク処理は、後述する画素の補正位置を決定するための処理である。ここで、「補正位置」とは、画素の挿入又は削除を行う画素の位置をいう。具体的には、制御部３０は、図１３に示すようなマスクパターンＰを、図１４に示すように、吐出画像データＤにおける繋ぎ部に相当する領域であってＸ軸上の所定の座標に合わせるようにしてＹ方向に連続して並べて配置する。マスクパターンＰは、図１３に示すように、１６×３２画素を１単位としてマトリクス状に形成されたパターンデータであって、ノズル列方向（Ｘ方向）において、補正位置を示す１つの打点のみが規定され、かつその補正位置が、１６×３２画素の中で（マスクパターンＰの全体において）周期をもたず、略均等な間隔となるように形成されたパターンデータである。すなわち、マスクパターンは、ノズル列方向と、該ノズル列方向とは垂直の方向とにそれぞれ複数の画素を有してマトリクス状に形成され、補正位置が規定されている。このマスクパターンＰは、ブルーノイズパターンに近似するパターンデータである。このように、本実施の形態では、吐出画像データのノズル列方向（Ｘ方向）とは垂直の方向（Ｙ方向）で位置が異なるように補正位置を決定することができるようになる。また、本実施の形態では、ＣＭＹＫの色ごとにマスクパターンＰのパターンが異なるようにしている。例えば、シアンのマスクパターンが図１３に示すものである場合、マゼンタのマスクパターンは、４画素だけＸ方向にシフトさせたものとし、イエローのマスクパターンは、８画素だけＸ方向にシフトさせたものとし、黒のマスクパターンは、１２画素だけＸ方向にシフトさせたものとする。このように、本実施の形態では、吐出画像データ毎に位置が異なるように補正位置を決定することができる。
本実施の形態では、マスクパターンＰを上述したようにして構成することで、周期性に起因するモアレパターンの発生を抑制することができる。
なお、本実施の形態で適用可能なマスクパターンは、Ｘ方向に１つのみ打点が形成されるものであれば、ホワイトノイズ等、他の色のノイズに近似するパターンデータであってもよく、また、規則性を有するパターンデータであってもよい。
また、本実施の形態で適用可能なマスクパターンのサイズは、上述した１６×３２画素に限らないが、Ｘ方向でサイズが大きすぎると、画素が挿入されて画素がシフトされた領域が大きくなって粒状感が生じてしまい、一方、Ｘ方向でサイズが小さすぎると、画素が挿入された位置に規則性が生じ、好ましくないパターンが表れてしまうので、これらを考慮して適宜大きさに設定するのが好ましい。好適なマスクパターンのサイズとしては、上述した１６×３２画素の他、１６×６４画素等である。
【００７３】
次に、制御部３０は、注目画素の座標がマスクパターンＰにおいて打点が行われている位置であるか否かを判定する（ステップＳ３０２）。制御部３０は、注目画素の座標がマスクパターンＰにおいて打点が行われている位置であると判定したときは（ステップＳ３０２：Ｙ）、補正判定テーブルを参照して、画素の挿入を行うか否かを判定する（ステップＳ３０３）。すなわち、制御部３０は、補正判定テーブルの当該繋ぎ部に対応するフィールドにおける値が画素の挿入を行う旨の値であるときに画素の挿入を行うと判定する。
【００７４】
制御部３０は、画素の挿入を行うと判定したときは（ステップＳ３０３：Ｙ）、画素挿入処理を実行する（ステップＳ３０４）。具体的には、制御部３０は、注目画素の座標からＸ方向で右側にある各画素をそれぞれ右方向に１画素ずつシフトさせて、注目画素の座標に画素の挿入を行う。挿入する画素は、Ｘ方向で左側に隣接する画素をそのまま適用する（ニアレストネイバー）。例えば、図１５（Ａ）に示すように、上述した処理により、シアンの記録ヘッド１０４とシアンの記録ヘッド１０５とにより構成される第４の繋ぎ部１１４における１８番目の画素について挿入を行うと判定された場合には、１８番目の画素からＸ方向で右側にある各画素をそれぞれ右方向に１画素ずつシフトさせる。そして、図１５（Ｂ）に示すように、１７番目の画素とシフトされた１８番目の画素との間に新たな画素が挿入される。この新たな画素は、ニアレストネイバーの方法により、１７番目の画素と同一の画素となる。これにより、シアンの吐出画像データを右側に１ノズル分拡大させることができる。なお、上述したように１８番目の画素について挿入を行う際には１８番目の画素からＸ方向で右側にある各画素をそれぞれ右方向に１画素ずつシフトさせることとなるため、図１５（Ｂ）のように画素に対してノズル数が不足することとなる。従って、すべての画素をノズルに対応させて画像を形成させる観点から例えば全体のノズル数よりも画素が与えられて画像を形成するノズル数を少なくしておくことが好ましい。また、後述するが画素を削除する場合においてもすべての画素をノズルに対応させて画像を形成させる観点から例えば全体のノズル数よりも画素が与えられて画像を形成するノズル数を少なくしておくことが好ましい。
なお、挿入する画素の生成方法は、上述したニアレストネイバーに限らず、例えば、バイリニア法やバイキュービック法等により画素値を求める等、種々の方法が適用できる。
【００７５】
制御部３０は、注目画素がエッジ部分であるか否かを判定する（ステップＳ３０５）。制御部３０は、注目画素がエッジ部分であると判定したときは（ステップＳ３０５：Ｙ）、当該画素についてスムージングするフィルター処理を行った後（ステップＳ３０６）、この処理を終了する。フィルター処理は、例えば、メディアンフィルターが好適であるが、これに限定されない。一方、制御部３０は、注目画素がエッジ部分であると判定しないときは（ステップＳ３０５：Ｎ）、ステップＳ３０６の処理を実行することなく、この処理を終了する。
【００７６】
また、制御部３０は、ステップＳ３０３において、画素の挿入を行うと判定しないときは（ステップＳ３０３：Ｎ）、画素削除処理を実行した後（ステップＳ３０７）、この処理を終了する。具体的には、制御部３０は、注目画素の座標における画素を削除し、当該注目画素の座標よりもＸ方向で右側にある各画素をそれぞれ左方向に１画素ずつシフトさせる。例えば、図１６（Ａ）に示すように、上述した処理により、イエローの記録ヘッド１０４とイエローの記録ヘッド１０５とにより構成される第４の繋ぎ部１１４における１８番目の画素について削除を行うと判定された場合には、図１６（Ｂ）に示すように、１８番目の画素を削除した上で、１９番目の画素からＸ方向で右側にある各画素をそれぞれ左方向に１画素ずつシフトさせる。これにより、イエローの吐出画像データを左側に１ノズル分縮小させることができる。
【００７７】
また、制御部３０は、ステップＳ３０２において、注目画素の座標がマスクパターンＰにおいて打点が行われている位置であると判定しないときは（ステップＳ３０２：Ｎ）、この処理を終了する。
【００７８】
次に、本実施の形態の適用例について説明する。図１７（Ａ）は、例えば、シアンの吐出画像データを表している。
【００７９】
図１７（Ａ）に示される吐出画像データに対し、上述したようにして画素の挿入を行うと、図１７（Ｂ）に示されるように、Ｙ方向の各列に１画素ずつ挿入された状態となる。そして、挿入された画素位置にニアレストネイバーの方法により隣接画素を適用すると、図１７（Ｃ）に示されるような補正後の画像が形成される。
【００８０】
本実施の形態では、このようにして画素を挿入又は削除して吐出画像データをＸ方向に拡大又は縮小する補正を行うことにより、他の色の画像との位置誤差を小さくして色ずれを抑制することができるようになる。
【００８１】
図１８（Ａ）は、例えば、シアンの吐出画像データにより形成された画像とマゼンタの吐出画像データにより形成された画像とが重畳して形成された画像を表している。
【００８２】
図１８（Ａ）に示されるマゼンタの画像の吐出画像データに対し、上述したようにして画素の挿入を行うと、図１８（Ｂ）に示されるように、Ｙ方向の各列に１画素ずつ挿入された状態となる。そして、挿入された画素位置にニアレストネイバーの方法により隣接画素を適用し、エッジ部分に対してメディアンフィルターを適用すると、図１８（Ｃ）に示されるような補正後の画像が形成される。
【００８３】
このように、本実施の形態では、画素を挿入した部分がエッジ部分である場合には、フィルター処理を行うので、エッジ部分及び非エッジ部分の何れについても良好に補正を行うことができる。
【００８４】
以上説明したように、本実施の形態によれば、インクジェット記録装置２は、複数のノズルＮが所定間隔で配列されたノズル列を有する記録ヘッド１０１〜１０６がノズル列方向に沿って千鳥状に複数配列されるとともに、隣接配置される記録ヘッド１０１〜１０６の各端部に配置された複数のノズルＮがノズル列方向とは垂直の方向に互いに重なる繋ぎ部１１１〜１１５を有する記録ヘッドユニット１０，１２，１４，１６がノズル列方向とは垂直の方向に複数並べて備えられ、入力した画像データを記録ヘッドユニット１０，１２，１４，１６毎の吐出画像データに変換し、記録媒体４を搬送させながら吐出画像データに従って複数の記録ヘッド１０１〜１０６の各ノズルＮからインクを吐出して記録媒体に画像を形成する。制御部３０は、ノズル列方向とは垂直の方向に延びたライン状のライン画像を記録ヘッド１０１〜１０６毎にそれぞれ予め定められた画素位置に形成するためのラインチャート画像データＣＨに基づいて複数の記録ヘッドユニット１０，１２，１４，１６のそれぞれにライン画像を形成させ、複数の記録ヘッドユニット１０，１２，１４，１６のそれぞれにて形成されたライン画像から特定された記録ヘッドユニット１０，１２，１４，１６間の画像形成位置の誤差を記録ヘッド１０１〜１０６毎に特定する。制御部３０は、特定した記録ヘッド１０１〜１０６毎の誤差から吐出画像データの補正位置を記録ヘッド１０１〜１０６毎に対応して決定する。制御部３０は、決定した補正位置に画素を挿入又は削除して吐出画像データの補正を行う。その結果、記録ヘッドがノズルの配列方向にずれて取り付けられたことに起因して生じる色ずれを低減することができる。
【００８５】
また、本実施の形態によれば、制御部３０は、吐出画像データの繋ぎ部１１１〜１１５に対応する位置を補正位置として画素を挿入又は削除する。その結果、記録ヘッドユニット間の画像形成位置の誤差を効果的に吸収することができ、色ずれをより低減することができる。
【００８６】
また、本実施の形態によれば、制御部３０は、記録ヘッドユニット１０，１２，１４，１６毎に位置が異なるように補正位置を決定する。その結果、補正位置が色間で一致することによって生じる画質の低下を抑制することができる。
【００８７】
また、本実施の形態によれば、制御部３０は、吐出画像データのノズル列方向とは垂直の方向で連続しないように補正位置を決定する。その結果、補正後の吐出画像データにおいて、規則性のある画像が表れて画質が低下するのを低減することができる。
【００８８】
また、本実施の形態によれば、制御部３０は、ノズル列方向と、このノズル列方向とは垂直の方向とにそれぞれ複数の画素を有してマトリクス状に形成され、補正位置が規定されたマスクパターンを用いて吐出画像データに対してマスク処理することにより補正位置を決定する。その結果、補正位置の決定を容易に実施することができるので、処理効率が向上する。
【００８９】
また、本実施の形態によれば、マスクパターンは、ノイズ列方向において、１つの補正位置のみが規定され、かつ、補正位置がマスクパターンの全体において周期をもたず、略均等な感覚となるように形成されたパターンデータであるので、マスクパターンの打点位置が均等に分散するので、吐出画像データにおける補正位置を良好に分散させて補正を良好に行わせることができるようになる。
【００９０】
また、本実施の形態によれば、ラインセンサー１８は、ライン画像を読み取る。制御部３０は、ラインセンサー１８によって読み取ったライン画像の位置から記録ヘッドユニット１０，１２，１４，１６間の画像形成位置の誤差を特定する。その結果、画像形成位置の誤差を容易に特定することができる。
【００９１】
なお、本発明の実施の形態における記述は、本発明に係るインクジェット記録装置の一例であり、これに限定されるものではない。インクジェット記録装置を構成する各機能部の細部構成及び細部動作に関しても適宜変更可能である。
【００９２】
また、本実施の形態では、記録媒体の搬送のみで画像形成を行ういわゆるラインヘッド方式による画像形成を実施可能なインクジェット記録装置を例に説明したが、例えば、図１９に示すように、キャリッジ５０４に上述した各色の記録ヘッドユニットを搭載し、記録媒体をＹ方向に搬送しながら、キャリッジ５０４を記録媒体の搬送方向に直行する方向（Ｘ方向）に沿って搬送させながら、記録媒体に上方からインクを吐出するインクジェット記録装置２Ａに採用することもできる。この場合における記録ヘッドユニットは、複数の記録ヘッドが記録媒体の搬送方向に沿って千鳥状に配置される。記録ヘッドは、複数のノズルが所定間隔で配列されたノズル列を有しており、ノズル列方向は記録媒体の搬送方向と平行である。
【００９３】
また、本実施の形態では、１つの繋ぎ部１１１〜１１５につき、１つの画素を挿入及び削除をするようにしたが、１つの繋ぎ部１１１〜１１５につき、２以上の画素の挿入及び削除を行うようにしてもよい。
【００９４】
また、本実施の形態では、吐出画像データの繋ぎ部１１１〜１１５に相当する領域において画素の挿入及び削除を行うようにしたが、吐出画像データの繋ぎ部１１１〜１１５に相当する領域以外の領域において画素の挿入及び削除を行うようにしてもよい。
【００９５】
また、本実施の形態では、吐出画像データに対して画素の挿入及び削除を行うようにしたが、画素の挿入及び削除の何れか一方のみを行う形態であってもよい。
【００９６】
また、本実施の形態では、吐出画像データ（色）毎に位置が異なるように画素の補正位置を決定するようにしたが、吐出画像データ間で画素の補正位置が同一であってもよい。
【００９７】
また、本実施の形態では、吐出画像データのノズル列方向とは垂直の方向（Ｙ方向）で位置が異なるように補正位置を決定するようにしたが、Ｙ方向で補正位置が同一となるようにしてもよい。
【００９８】
また、本実施の形態では、マスクパターンを用いて補正位置を決定するようにしたが、マスクパターンを用いず、例えば、所定の演算を行うことにより補正位置を決定するようにしてもよい。
【００９９】
また、本実施の形態では、ラインセンサー１８を設けて、記録ヘッドユニット１０，１２，１４，１６によって形成されたライン画像を読み取り、これに基づいて記録ヘッドユニット１０，１２，１４，１６間の画像形成位置の誤差を特定するようにしたが、ラインセンサーを設けず、インクジェット記録装置２とは別個の読取装置によってライン画像を読み取って記録ヘッドユニット１０，１２，１４，１６間の画像形成位置の誤差を特定し、その結果をインクジェット記録装置２に入力するようにしてもよい。
【０１００】
また、本実施の形態では、本発明に係るプログラムのコンピューター読み取り可能な媒体としてハードディスクや半導体の不揮発性メモリー等を使用した例を開示したが、この例に限定されない。その他のコンピューター読み取り可能な媒体として、ＣＤ−ＲＯＭ等の可搬型記録媒体を適用することが可能である。また、本発明に係るプログラムのデータを通信回線を介して提供する媒体として、キャリアウェーブ（搬送波）も適用される。
【符号の説明】
【０１０１】
２  インクジェット記録装置
４  記録媒体
１０，１２，１４，１６  記録ヘッドユニット
１８  ラインセンサー（画像読取部）
１０１〜１０６  記録ヘッド
１１１〜１１５  繋ぎ部
３０  制御部
３０３  歪み補正部
Ｄ  吐出画像データ
Ｎ  ノズル
Ｐ  マスクパターン
【図１】
2015058677.tif 000003
【図２】
2015058677.tif 000004
【図３】
2015058677.tif 000005
【図４】
2015058677.tif 000006
【図５】
2015058677.tif 000007
【図６】
2015058677.tif 000008
【図７】
2015058677.tif 000009
【図８】
2015058677.tif 000010
【図９】
2015058677.tif 000011
【図１０】
2015058677.tif 000012
【図１１】
2015058677.tif 000013
【図１２】
2015058677.tif 000014
【図１３】
2015058677.tif 000015
【図１４】
2015058677.tif 000016
【図１５】
2015058677.tif 000017
【図１６】
2015058677.tif 000018
【図１８】
2015058677.tif 000019
【図１９】
2015058677.tif 000020
【図２０】
2015058677.tif 000021
【図１７】
2015058677.tif 000022